(57)【特許請求の範囲】
【請求項１】
下方から見ると四角形である略箱形状の本体ケースと、
前記本体ケース内に配置された空気清浄手段と第１のファンと、
前記本体ケースの下面に設けた第１の本体吹出口と第１の本体吸込口とを有し、
前記第１の本体吸込口は、前記本体ケースにおける一方側に設け、
前記第１の本体吹出口は、前記本体ケースにおける他方側に設け、
前記第１のファンは、
第１のケーシング部と、
前記第１のケーシング部に固定された第１のモータと、
前記第１のモータによって駆動する第１の羽根とを備え、
前記第１のケーシング部は、
前記第１のケーシング部に設けた第１のファン吸込口と、
前記第１のケーシング部の側面に設けた第１のファン吹出口とを備え、
前記第１のファン吸込口は、前記第１の本体吸込口と連通し、
前記空気清浄手段は、前記第１の本体吸込口と前記第１のファン吸込口との間の風路に備えられ、
前記第１のファン吹出口は、前記第１の本体吹出口と連通路を介して連通し、
前記連通路は、
前記第１のファン吹出口から前記本体ケースにおける他方側水平方向に延びた第１の連通路と、
前記第１の連通路から前記本体ケースにおける他方側斜め下方向に延びた第２の連通路と、
前記第２の連通路から下方向に延びた第３の連通路とからなり、
前記第１の本体吹出口から前記本体ケースにおける他方側斜め下方向に延びた送風路を有し、
前記第２の連通路には、風向板を備え、
前記風向板は、上下方向に延びた板形状で前記第１のファン吹出口に対向する面を有し、前記風向板の上端と第２の連通路との間に空間を備え、
前記第１のケーシング部は、前記第１のケーシング部における一方側の前記第１のケーシング部の側面に第２の舌部を設け、前記第１のケーシング部における他方側の前記風向板の下端から下方へ延びる延長風向板を備えたことを特徴とする空気清浄装置。
【請求項２】
前記風向板の下端部と前記本体ケースにおける他方側の前記第３の連通路との距離は、前記風向板の下端部と前記本体ケースにおける一方側の前記第３の連通路との距離より大きいことを特徴とする請求項１に記載の空気清浄装置。
【請求項３】
前記第２の連通路の下部と前記第３の連通路の上部が、前記本体ケースにおける他方側へ膨らんだことを特徴とする請求項１または２に記載の空気清浄装置。
【発明の詳細な説明】
【技術分野】
【０００１】
本発明は、例えば天井取り付けされる換気機能を備えた空気清浄装置に関するものである。
【背景技術】
【０００２】
従来のこの種空気清浄装置の構成は、下記のようなものとなっていた。
【０００３】
すなわち、略箱形状の本体ケースと、本体ケース内に配置された空気清浄手段と第１のファンと、本体ケースの下面に設けた第１の本体吹出口と第１の本体吸込口とを有している。第１の本体吸込口は、本体ケースの一方側に設け、第１の本体吹出口は、本体ケースの他方側に設けられている。第１のファンは、第１のケーシング部と、第１のケーシング部に固定された第１のモータと、第１のモータによって駆動する第１の羽根とを備えている。第１のケーシング部は、第１のケーシング部に設けた第１のファン吸込口と、第１のケーシング部の側面に設けた第１のファン吹出口とを備えている。第１のファン吸込口は、第１の本体吸込口と連通している。空気清浄手段は、第１の本体吸込口と第１のファン吸込口との間の風路に備えられている。第１の吹出口は、前記第１の本体吹出口と連通路を介して連通している構成としていた（例えば特許文献１参照）。
【先行技術文献】
【特許文献】
【０００４】
【特許文献１】特開２００６−９７９９８号公報
【発明の概要】
【発明が解決しようとする課題】
【０００５】
上記従来例で課題となるのは、風量の低下を抑制するということであった。
【０００６】
すなわち、上記従来例における空気清浄装置は、第１のケーシング部の側面に設けた第１のファン吹出口から水平方向へ吹き出した空気は、連通路で下方へ方向を変え、本体ケースの下面に設けた第１の本体吹出口から吹き出す。このように、連通路で、風向が変化するので、風路抵抗が発生し、風量が低下する。
【０００７】
そこで本発明は、風路抵抗を低減し、風量の低下を抑制することを目的とするものである。
【課題を解決するための手段】
【０００８】
そして、この目的を達成するために本発明は、前記空気清浄手段は、前記第１の本体吸込口と前記第１のファン吸込口との間の風路に備えられ、前記第１のファン吹出口は、前記第１の本体吹出口と連通路を介して連通し、前記連通路は、前記第１のファン吹出口から前記本体ケースにおける他方側水平方向に延びた第１の連通路と、前記第１の連通路から前記本体ケースにおける他方側斜め下方向に延びた第２の連通路と、前記第２の連通路から下方向に延びた第３の連通路とからなり、前記第１の本体吹出口から前記本体ケースにおける他方側斜め下方向に延びた送風路を有し、前記第２の連通路には、風向板を備え、前記風向板は、上下方向に延びた板形状で前記第１のファン吹出口に対向する面を有し、前記風向板の上端と第２の連通路との間に空間を備え、前記第１のケーシング部は、前記第１のケーシング部における一方側の前記第１のケーシング部の側面に第２の舌部を設け、前記第１のケーシング部における他方側の前記風向板の下端から下方へ延びる延長風向板を備えたことを特徴とし、これにより初期の目的を達成するものである。
【発明の効果】
【０００９】
以上のように、本発明は、前記空気清浄手段は、前記第１の本体吸込口と前記第１のファン吸込口との間の風路に備えられ、前記第１のファン吹出口は、前記第１の本体吹出口と連通路を介して連通し、前記連通路は、前記第１のファン吹出口から前記本体ケースにおける他方側水平方向に延びた第１の連通路と、前記第１の連通路から前記本体ケースにおける他方側斜め下方向に延びた第２の連通路と、前記第２の連通路から下方向に延びた第３の連通路とからなり、前記第１の本体吹出口から前記本体ケースにおける他方側斜め下方向に延びた送風路を有し、前記第２の連通路には、風向板を備え、前記風向板は、上下方向に延びた板形状で前記第１のファン吹出口に対向する面を有し、前記風向板の上端と第２の連通路との間に空間を備え、前記第１のケーシング部は、前記第１のケーシング部における一方側の前記第１のケーシング部の側面に第２の舌部を設け、前記第１のケーシング部における他方側の前記風向板の下端から下方へ延びる延長風向板を備えたことを特徴としたので、風量の低下を抑制することができる。
【００１０】
すなわち本発明においては、第２の連通路には、風向板を備え、風向板は、上下方向に延びた板形状で第１のファン吹出口に対向する面を有し、風向板の上端と第２の連通路との間に空間を備えたので、風向板の一方面側と他方面側とに気流を分散させることでき、連通路の一部に気流が偏ることを抑制し、風路抵抗を低減し、風量の低下を抑制することができるものである。
【図面の簡単な説明】
【００１１】
【図１】本発明の実施の形態の空気清浄装置の設置状態を示す図
【図２】同空気清浄装置の展開図
【図３】同空気清浄装置の内部を示す図
【図４】同空気清浄装置の断面図
【図５】同空気清浄装置の内部を示す図
【発明を実施するための形態】
【００１２】
以下、本発明の実施の形態について、図１〜図４を参照しながら説明する。
【００１３】
図１は、実施の形態の空気清浄装置の設置状態を示す図である。図２は、実施の形態の空気清浄装置の展開図である。図２は、本体ケースにおける斜め下方から見た状態で、ルーバと、空気清浄手段とを外した展開図である。
【００１４】
図１、図２に示すように、天井埋込形で、換気機能を備えた空気清浄装置に係るものである。
【００１５】
空気清浄装置は、下方から見ると四角形である略箱形状の本体ケース１の下方に、ルーバ２を設け、本体ケース１内には、空気清浄手段５と、後述する第１のファン３と、第２のファン４とを有している。
【００１６】
空気清浄装置は、天井６裏に挿入設置される。本体ケース１は、上下方向の厚みが小さい、下面が開口した略箱形状で、水平断面形状は、四角形である。
【００１７】
本体ケース１の下面の開口には、この開口を塞ぐように装着されるケース下面カバー８を備えている。このケース下面カバーには、第１の本体吸込口９と、第２の本体吸込口１０と、第１の本体吹出口１１とを備えている。本体ケース１の他方側の側面には、第２の本体吹出口１２を有している。この第２の本体吹出口１２は、屋外と連通するダクト１３に連結される。
【００１８】
ルーバ２は、第１のルーバ吸込口２Ａと、第２のルーバ吸込口２Ｂと、第１のルーバ吹出口２Ｃとを備えている。第１のルーバ吸込口２Ａは、第１の本体吸込口９と連通し、第２のルーバ吸込口２Ｂは、第２の本体吸込口１０と連通し、第１のルーバ吹出口２Ｃは、第１の本体吹出口１１と連通している。
【００１９】
図３は、実施の形態の空気清浄装置の内部を示す図である。図３は、本体ケースにおける下方から見た状態である。図４は、実施の形態の空気清浄装置の断面図である。
【００２０】
図３、図４に示すように、本体ケース１の下端辺には、外方へ伸びるフランジ部７を備えている。本体ケース１は、天井６に開けられた正方形の孔６Ａに挿入され、フランジ部７を介して、ねじによって天井６に固定される。フランジ部７は、ケース下面カバー８に覆われる。
【００２１】
第２のファン４は、第２のケーシング部１４と、この第２のケーシング部１４内に配置された第２の羽根１５と、この第２の羽根１５を駆動する第２のモータ１６とを有している。
【００２２】
第２のモータ１６は、第２のモータ１６の下面より下方へ伸びた第２のモータ回転軸１７を備えている。この第２のモータ回転軸１７に、第２の羽根１５が固定されている。この第２の羽根１５の１例は、シロッコファンである。
【００２３】
第２のケーシング部１４は、第２のファン吸込口（図示せず）と第２のファン吹出口１９とを有している。第２のファン吸込口は、第２の本体吸込口１０と連通し、第２のファン吹出口１９は、第２の本体吹出口１２と連通している。第２のファン吸込口は、本体ケース１の第１に対向する他方側（図３における下側）に設けられている。
【００２４】
第２のモータ１６によって、第２の羽根１５を駆動すると、室内の空気が、ルーバ２の第２のルーバ吸込口２Ｂから本体ケース１内に吸い込まれる。この吸い込まれた空気は、第２のファン吸込口を介して第２のケーシング部１４内に入り、第２のファン吹出口１９を介して、第２の本体吹出口１２から屋外と連通するダクト１３へ送風される。すなわち、室内の空気を屋外へ換気送風するものである。
【００２５】
図２、図３、図４に示すように、ケース下面カバー８は、本体ケース１における第１に対向する一方側（図４における左側、図３における上側）の下面には、第１の本体吸込口９と第２の本体吸込口１０を有し、本体ケース１における第１に対向する他方側（図４における右側、図３における下側）の下面には、第１の本体吹出口１１を備えている。
【００２６】
第１のファン３は、第１のケーシング部２０と、この第１のケーシング部２０内に配置された第１の羽根２１と、この第１の羽根２１を駆動する第１のモータ２２とを有している。
【００２７】
第１のモータ２２は、第１のモータ２２の下面より下方へ伸びた第１のモータ回転軸２３を備えている。この第１のモータ回転軸２３に、第１の羽根２１が固定されている。この第１の羽根２１の１例は、シロッコファンである。
【００２８】
第１のケーシング部２０は、下面には、第１のファン吸込口２４が設けられている。第１のケーシング部２０の側面には、本体ケース１における第１に対向する他方側に開口した第１のファン吹出口２５を有している。
【００２９】
第１の本体吸込口９の上方には、第１のファン吸込口２４を設け、第１のファン吸込口２４は、第１の本体吸込口９と連通している。この第１のファン吸込口２４と第１の本体吸込口９との間の風路には、空気清浄手段５を設けている。空気清浄手段５の１例は、集塵ファイルターである。
【００３０】
第１の本体吹出口１１の上方には、第１のファン吹出口２５を備え、第１のファン吹出口２５は、連通路２６を介して、第１の本体吹出口１１と連通している。連通路は、第１のファン吹出口２５から第１に対向する他方側水平方向に延びた第１の連通路２７と、第１の連通路２７から第１に対向する他方側斜め下方向に延びた第２の連通路２８と、第２の連通路から下方向に延びた第３の連通路２９とから構成している。
【００３１】
ルーバ２の第１のルーバ吹出口２Ｃは、第３の連通路から第１に対向する他方側斜め下方向に延びた送風路３５を有している。
【００３２】
第１のモータ２２によって、第１の羽根２１を駆動すると、室内の空気が、ルーバ２の第１のルーバ吸込口２Ａから、第１の本体吸込口９に設けられた空気清浄手段５を介して本体ケース１内に吸い込まれる。この吸い込まれた空気は、第１のファン吸込口２４から第１のケーシング部２０内に入り、第１のファン吹出口２５、ルーバ２の第１のルーバ吹出口２Ｃを介して、第１の本体吸込口９から室内へ送風される。すなわち、室内の空気が、空気清浄手段５を介して、循環送風するものである。
【００３３】
本実施形態の特徴は、第２の連通路２８に、風向板３０を備え、風向板３０は、上下方向に延びた板形状で第１のファン吹出口２５に対向する面を有し、風向板３０の上端と第２の連通路２８との間に空間３１を備えた点である。
【００３４】
これにより、第１の連通路２７を通過した空気が、風向板３０の一方面側と他方面側とに、第１の気流Ａと、第２の気流Ｂとに分かれる。すなわち、第１の気流Ａは、風向板３０の第１に対向する一方側の側面に当たり、この側面に沿うように第２の連通路２８を流れ、第３の連通路２９を介して、第１の本体吹出口１１へ流れる。第２の気流Ｂは、風向板３０の上端と第２の連通路２８との間の空間３１を介して、第２の連通路２８、第３の連通路２９を介して、第１の本体吹出口１１へ流れる。なお、第１の気流Ａの風量は、第２の気流Ｂの風量より大きい。
【００３５】
このように、風向板３０を設け、風向板３０の一方面側と他方面側とに、第１の気流Ａと、第２の気流Ｂと分散させることで、風向板３０を設けない場合に比べ、連通路２６の一部に気流が偏ることを抑制し、風路抵抗を低減し、風量の低下を抑制することができるものであると考えられる。なお、気流は、風向板３０の一方面側を通る第１の気流Ａと、風向板３０の他方面側を通る第２の気流Ｂとに分かれる。風向板３０の一方面側とは、第１のファン吹出口２５からの送風方向の風向板３０における上流側で、風向板３０の他方面側とは、第１のファン吹出口２５からの送風方向の風向板３０における下流側である。
【００３６】
更に、第１の気流Ａは、風向板３０に当たり、風向板３０に沿うように流れることにより、第１の本体吹出口１１の方向へ整流され、整流効果が得られると考えられる。
【００３７】
また、風向板３０と第１に対向する他方側の第２の連通路２８との距離は、風向板３０の上端と第２の連通路２８との距離より大きい。
【００３８】
これにより、第２の気流Ｂは、風向板３０の上端と第２の連通路２８との間の空間３１を通過後に、空間が広がることで風速が下がる為、第２の連通路２８における第１に対向する他方側の側面への衝突時に発生するエネルギーロスを低減できる。
【００３９】
また、第２の連通路２８の下部と第３の連通路２９の上部が、第１に対向する他方側へ膨らんでいる。
【００４０】
これにより、第２の気流Ｂは、風向板３０の上端と第２の連通路２８との間の空間３１を通過後に、第１に対向する他方側の側面である第２の連通路２８の下部と第３の連通路２９の上部に沿って流れるので、最大限に空間を広げ風の流れを流れ易くできる。また、第２の気流Ｂは、第１に対向する他方側の側面である第２の連通路２８の下部と第３の連通路２９の上部に沿って流れた後、第１に対向する一方側へ流れ、第１の気流Ａと共に、第１の本体吹出口１１へ流れる。これにより、第２の気流Ｂは、第１の本体吹出口１１の方向へ整流され、整流効果が得られると考えられる。
【００４１】
図５は、実施の形態の空気清浄装置の内部を示す図である。図３、図５に示すように、第１のケーシング部２０は、第２に対向する一方側の第１のケーシング部２０の側面に第１の舌部３３を設け、第２に対向する他方側の風向板の下端部３２から下方へ延びる延長風向板３４を備えている。
【００４２】
このように、第１のケーシング部２０は、第２に対向する一方側の第１のケーシング部２０の側面に第１の舌部３３を設けているので、第１のファン吹出口２５から吹き出された空気は、第１の舌部３３側へ流れ易い。つまり、主に第２に対向する一方側へ流れようとする。ここで、第２に対向する他方側の風向板の下端から下方へ延びる延長風向板３４を設けると、風向板３０の一方面に沿って流れる気流の一部は、更に、延長風向板３４に沿って流れる。この気流は、延長風向板３４に沿って流れない気流に比べ、下方向へ多く流れ、第１に対向する他方側へも流れ易くなる。結果として、第１の本体吹出口１１全体からより均一に出易くなる。
【産業上の利用可能性】
【００４３】
以上のように、本発明は、前記空気清浄手段は、前記第１の本体吸込口と前記第１のファン吸込口との間の風路に備えられ、前記第１の吹出口は、前記第１の本体吹出口と連通路を介して連通し、前記連通路は、前記第１の吹出口から第１に対向する他方側水平方向に延びた第１の連通路と、前記第１の連通路から第１に対向する他方側斜め下方向に延びた第２の連通路と、前記第２の連通路から下方向に延びた第３の連通路とからなり、前記第１の本体吹出口から第１に対向する他方側斜め下方向に延びた送風路を有し、前記第２の連通路には、風向板を備え、前記風向板は、上下方向に延びた板形状で前記第１のファン吹出口に対向する面を有し、前記風向板の上端と第２の連通路との間に空間を備えたことを特徴としたので、風量の低下を抑制することができる。
【００４４】
すなわち本発明においては、第２の連通路には、風向板を備え、風向板は、上下方向に延びた板形状で第１のファン吹出口に対向する面を有し、風向板の上端と第２の連通路との間に空間を備えたので、風向板の一方面側と他方面側とに気流を分散させることでき、連通路の一部に気流が偏ることを抑制し、風路抵抗を低減し、風量の低下を抑制することができるものである。
【００４５】
このため、家庭用、業務用として、天井取り付けされる換気機能を備えた空気清浄装置に広く活用が期待されるものとなる。
【符号の説明】
【００４６】
１      本体ケース
２      ルーバ
２Ａ    第１のルーバ吸込口
２Ｂ    第２のルーバ吸込口
２Ｃ    第１のルーバ吹出口
３      第１のファン
４      第２のファン
５      空気清浄手段
６      天井
６Ａ    孔
７      フランジ部
８      ケース下面カバー
９      第１の本体吸込口
１０      第２の本体吸込口
１１      第１の本体吹出口
１２      第２の本体吹出口
１３      ダクト
１４      第２のケーシング部
１５      第２の羽根
１６      第２のモータ
１７      第２のモータ回転軸
１９      第２のファン吹出口
２０      第１のケーシング部
２１      第１の羽根
２２      第１のモータ
２３      第１のモータ回転軸
２４      第１のファン吸込口
２５      第１のファン吹出口
２６      連通路
２７      第１の連通路
２８      第２の連通路
２９      第３の連通路
３０      風向板
３１      空間
３２      下端部
３３      第１の舌部
３４      延長風向板
３５      送風路
Ａ      第１の気流
Ｂ      第２の気流
【図１】
0006421324.tif 000002
【図２】
0006421324.tif 000003
【図３】
0006421324.tif 000004
【図４】
0006421324.tif 000005
【図５】
0006421324.tif 000006